(57)【要約】  リアケースは、開口部の内壁と端面（２０１）とが同一面上にあり、開口部の周縁からリアケースの外縁までの間に端面（２０２）を有する突出部（２００）と、開口部に沿った方向に突出部（２００）と隣り合い、開口部の内壁Ｐから開口部の周縁とリアケースの外縁との間の位置までへこんだ溝部（３００）とを有し、フロントケースは、開口部の内壁と端面とが同一面上にあり、開口部の内壁からフロントケースの外縁までの間に端面を有する突出部（２１０）と、開口部に沿った方向に突出部（２１０）と隣り合い、開口部の内壁から開口部の周縁とフロントケースの外縁との間の位置までへこんだ溝部（３１０）とを有する。それらは、壁面（３０２）と突出部（２１０）の端面とが当接し、壁面（３１２）と突出部（２００）の端面とが当接するよう嵌合する。
2012127584.tif 000002
【特許請求の範囲】
【請求項１】
第１の凹部を有する第１筐体部材と、
第２の凹部を有する第２筐体部材とを備え、
前記第１筐体部材は、前記第１の凹部の開口部の内壁と一方の端面とが同一面上にあり、前記第１の凹部の開口部の内壁から前記第１筐体部材の外壁までの間に他方の端面を有し、前記第１の凹部の底面から前記開口部へ向かう方向に隆起する第１突出部と、前記第１の凹部の開口部の周縁に沿った方向に前記第１突出部と隣り合い、且つ前記第１の凹部の開口部の内壁から前記第１の凹部の開口部の内壁と前記第１筐体部材の外壁との間の位置まで前記開口部から前記凹部の底面方向に向かう方向にへこみ、さらに前記第１筐体部材の外壁側の端部に第１壁面を有する第１溝部とを有し、
前記第２筐体部材は、前記第２の凹部の開口部の内壁と一方の端面とが同一平上にあり、前記第２の凹部の開口部の内壁から前記第２筐体部材の外壁までの間に他方の端面を有し、前記第２の凹部の底面から前記開口部へ向かう方向に隆起する第２突出部と、前記第２の凹部の開口部の周縁に沿った方向に前記第２突出部と隣り合い、且つ前記第２の凹部の開口部の内壁から前記第２の凹部の開口部の内壁と前記第２筐体部材の外壁との間の位置まで前記開口部から前記凹部の底面方向に向かう方向にへこみ、さらに前記第２筐体部材の外壁側の端部に第２壁面を有する第２溝部とを有し、
前記第１突出部と前記第２溝部、及び前記第１溝部と前記第２突出部は、前記第１壁面と前記第２突出部の外壁側の端面とが当接し、前記第２壁面と前記第１突出部の外壁側の端面と当接するよう嵌合する
ことを特徴とする携帯端末。
【請求項２】
前記第１突出部の前記第１の凹部の開口部の内壁から前記第１筐体部材の外縁に向かう方向の長さと、前記第１溝部の前記第１の凹部の開口部の内壁から前記第１筐体部材の外壁に向かう方向の長さとが一致することを特徴とする請求項１に記載の携帯端末。
【請求項３】
前記第１突出部及び前記第１溝部は、前記第１の凹部の開口部の周縁に複数配置され、前記第２突出部及び前記第２溝部は、前記第２の凹部の開口部の内壁の周縁に前記第１突出部及び前記第１溝部と同数配置されることを特徴とする請求項１又は請求項２に記載の携帯端末。
【請求項４】
前記第１突出部、前記第２突出部、前記第１溝部及び前記第２溝部の断面の形状が三角形であることを特徴とする請求項１又は請求項２に記載の携帯端末。
【請求項５】
前記第１突出部、前記第２突出部、前記第１溝部及び前記第２溝部の断面の形状が半円であることを特徴とする請求項１又は請求項２に記載の携帯端末。
【請求項６】
前記第１突出部、前記第２突出部、前記第１溝部及び前記第２溝部の断面の形状が四角形であることを特徴とする請求項１又は請求項２に記載の携帯端末。
【発明の詳細な説明】
【技術分野】
【０００１】
本発明は、携帯端末に関する。
【背景技術】
【０００２】
近年、携帯電話やＰＤＡ（Personal  Digital  Assistants）といった、持ち運びが可能で、手に持ちながら操作することができ、場所を選ばず機能を利用することができる携帯端末が広く普及してきている。このような携帯端末では、凹んだ形状のケースを２つ合わせて中に空間を有する筐体を形成しその空間に基盤や液晶パネルなどを配置する構造となっているものが一般的である。【０００３】
携帯端末は、持ち運びや操作し易さといった利便性のため筐体のサイズを小さくすることが要求されている。そのため、携帯端末の筐体内部の空間のサイズもそれほど大きく取ることができない。これに対して、携帯端末に要求される機能は増加の一途をたどっており、携帯端末に用いられる部品の数も増えてきている。そのため、限られた筐体内部の空間の中に基板や液晶パネルなどの多くの部品が配置されることになる。さらには、液晶パネルなどは大型化が進んでいる。そのため、液晶パネルなどに関しては、限られた筐体内部により大きな部品を配置することが望まれている。【０００４】
また、携帯端末は、操作者により手で握られたりボタンが押下されたりするなど、外部から筐体に対して力が加えられることが多い。そして、外部から力が加えられた場合、携帯端末の筐体を形成しているケース同士のあわせ面がこすれあいきしみ音が発生することがある。ここで、あわせ面とは、筐体を形成するケース同士が接触する面を指す。このようなきしみ音は発生しないことが好ましい。【０００５】
従来、ケースから発生するきしみ音を抑制するため、図１６及び図１７に示すような従来技術が提案されている。図１６は、従来の携帯端末の筐体の一例を説明するための図である。また、図１７は、従来の携帯端末の筐体の他の例を説明するための図である。図１６では、一方のケース９０１のあわせ面に凸部９１１を設け、他方のケース９０２のあわせ面に凹部９２１を設けた構造である。この場合、凸部９０１が凹部９０２に挟み込まれるように嵌合する、また、図１７では、ケースの開口部の縁を削ることで凹部９０３を作成し、さらに削った部分の内側に突起９０４を設けた構造である。これは、他方のケースの凸部を、凹部９０３と突起９０４との間に嵌合させる構造となっている。
【先行技術文献】
【特許文献】
【０００６】
【特許文献１】特開２００８−１８７１２１号公報
【特許文献２】特開２００６−７１２８９号公報
【発明の概要】
【発明が解決しようとする課題】
【０００７】
しかし、図１６に示す凸部が凹部に挟み込まれるように嵌合させる従来技術では、凸部９１１の内側（図１６では、紙面に向かって右側が内側である。）に幅９１２を持たせ、凹部９２１の内側にも幅９２２を持たせている。そのため、幅９１２及び幅９２２の分筐体内部の空間が狭くなってしまう。また、図１７に示すような凹部９０３と突起９０４とを有する従来技術でも、突起９０４が嵌合相手の凸部の内側に配置されるため、筐体内部の空間は突起９０４の分狭くなってしまう。このように内部の空間が狭くなると、内部空間の大きさには限りがあるため、携帯端末に多くの部品及び大きな部品を配置することが困難になる。【０００８】
開示の技術は、上記に鑑みてなされたものであって、きしみ音を軽減させるとともに、多数の部品や大きな部品を搭載できる携帯端末を提供することを目的とする。
【課題を解決するための手段】
【０００９】
本願の開示する携帯端末は、一つの態様において、第１の凹部を有する第１筐体部材と、第２の凹部を有する第２筐体部材とを備える。そして、前記第１筐体部材は、前記第１筐体部材は、前記第１の凹部の開口部の内壁と一方の端面とが同一面上にあり、前記第１の凹部の開口部の内壁から前記第１筐体部材の外壁までの間に他方の端面を有し、前記第１の凹部の底面から前記開口部へ向かう方向に隆起する第１突出部と、前記第１の凹部の開口部の周縁に沿った方向に前記第１突出部と隣り合い、且つ前記第１の凹部の開口部の内壁から前記第１の凹部の開口部の内壁と前記第１筐体部材の外壁との間の位置まで前記開口部から前記凹部の底面方向に向かう方向にへこみ、さらに前記第１筐体部材の外壁側の端部に第１壁面を有する第１溝部とを有する。また、前記第２筐体部材は、前記第２の凹部の開口部の内壁と一方の端面とが同一平上にあり、前記第２の凹部の開口部の内壁から前記第２筐体部材の外壁までの間に他方の端面を有し、前記第２の凹部の底面から前記開口部へ向かう方向に隆起する第２突出部と、前記第２の凹部の開口部の周縁に沿った方向に前記第２突出部と隣り合い、且つ前記第２の凹部の開口部の内壁から前記第２の凹部の開口部の内壁と前記第２筐体部材の外壁との間の位置まで前記開口部から前記凹部の底面方向に向かう方向にへこみ、さらに前記第２筐体部材の外壁側の端部に第２壁面を有する第２溝部とを有する。そして、前記第１突出部と前記第２溝部、及び前記第１溝部と前記第２突出部は、前記第１壁面と前記第２突出部の外壁側の端面とが当接し、前記第２壁面と前記第１突出部の外壁側の端面と当接するよう嵌合する。
【発明の効果】
【００１０】
本願の開示する携帯端末の一つの態様によれば、きしみ音を軽減させるとともに、多数の部品や大きな部品を搭載できるという効果を奏する。
【図面の簡単な説明】
【００１１】
【図１】図１は、携帯電話の斜視図である。
【図２】図２は、携帯電話のリアケースの斜視図である。
【図３】図３は、携帯電話のフロントケースの斜視図である。
【図４】図４は、リアケースの凹凸部を拡大した斜視図である。
【図５】図５は、フロントケースの凹凸部を模式的に表した図である。
【図６−１】図６−１は、凹凸部のＱ方向からの平面図である。
【図６−２】図６−２は、凹凸部のＱ方向とは逆の方向からの平面図である。
【図７】図７は、フロントケースの凹凸部を拡大した斜視図である。
【図８】図８は、フロントケースの凹凸部とリアケースの凹凸部とが嵌合した状態を模式的に表した透視斜視図である。
【図９】図９は、凹凸部が嵌合した部分を拡大した透視斜視図である。
【図１０】図１０は、凹凸部が嵌合するときの状態を表す側壁の長手方向の断面図である。
【図１１】図１１は、フロントケースに向かう方向と直交する方向からリアケースに力が加わる場合を説明するための図１０のＡ−Ａ’断面の断面図である。
【図１２】図１２は、リアケースに向かう力がフロントケースに加わる場合を説明するための図１０のＡ−Ａ’断面の断面図である。
【図１３】図１３は、リアケースに向かう方向と直交する方向から力がフロントケースに加わる場合を説明するための図１０のＢ−Ｂ’断面の断面図である。
【図１４】図１４は、フロントケースに向かう力がリアケースに加わる場合を説明するための図１０のＢ−Ｂ’断面の断面図である。
【図１５−１】図１５−１は、突出部及び溝部の断面の形状の他の例を説明するための図である。
【図１５−２】図１５−２は、突出部及び溝部の断面の形状の他の例を説明するための図である。
【図１６】図１６は、従来の携帯端末の筐体の一例を説明するための図である。
【図１７】図１７は、従来の携帯端末の筐体の他の例を説明するための図である。
【発明を実施するための形態】
【００１２】
以下に、本願の開示する携帯端末の実施例を図面に基づいて詳細に説明する。なお、以下の実施例により本願の開示する携帯端末が限定されるものではない。また、以下の説明では、携帯端末として携帯電話を例に説明するが、これは携帯電話でなくてもよく、例えばＰＤＡなどでもよい。
【実施例】
【００１３】
図１は、携帯電話の斜視図である。図２は、携帯電話のリアケースの斜視図である。図３は、携帯電話のフロントケースの斜視図である。【００１４】
本実施例に係る携帯電話は、図１に示すように、キーなどの操作部を有する固定（送話）側筐体１と、ディスプレイなどの表示部を有する可動（受話）側筐体２を有する。ここで、固定側筐体１と可動側筐体２のいずれにも以下に説明するきしみ防止用の機構を設けることができる。そして、固定側筐体１又は可動側筐体２のいずれにおいてもきしみ防止用の機構の構造は同じであるため、以下では、固定側筐体１を例に説明する。【００１５】
固定側筐体１は、図２に示すリアケース１１と図３に示すフロントケース１２とを有する。図３に示すフロントケース１２を逆さまにして、図２に示すリアケース１１と嵌合させることで固定側筐体１の一部となる。そして、リアケース１１は、キーパッドが配置される面とは逆側のバッテリの挿入口などが設けられる面となる固定側筐体１の背面側部分を形成する。また、フロントケース１２は、キーパットが配置される側の面となる固定側筐体１の正面部分を形成する。【００１６】
リアケース１１は、図２に示すように、フロントケース１２と接触する側が開放された盆状に形成されている。そして、図２の一点鎖線で表される部分がリアケース１１の開口部の周縁１１２である。また、フロントケース１２は、図３に示すように、リアケース１１と接触する側が開放された盆状に形成されている。そして、図３の一点鎖線で表される部分がリアケース１２の開口部の周縁１２２である。【００１７】
図４は、リアケース１１の凹凸部を拡大した斜視図である。図４は、開口部の周縁１１２が含まれる図２に示す点線１１１の部分を拡大したものを表している。以下では、開口部の周縁１１２より外側にある肉厚部分をリアケース１１の側壁と呼ぶことがある。リアケース１１は、図４の点線で示される凹凸部１１３を有している。また、外壁Ｓは、リアケース１１の外側の面を表している。【００１８】
図５は、リアケースの凹凸部を模式的に表した図である。図５の面Ｐは、図４の凹凸部１１３を矢印Ｑが向かう方向（以下では、「Ｑ方向」と言う。）に向かって見たときに見える面を表している。すなわち、面Ｐは開口部の内壁である。ここで、Ｑ方向は、リアケース１１の側壁の短手方向にあたる。【００１９】
凹凸部１１３は、図５に示すように、突出部２００及び溝部３００を有している。【００２０】
突出部２００は、面Ｐと同じ平面上に端面２０１を有する。すなわち、端面２０１と面Ｐとは連続しており、且つ、端面２０１と面Ｐとが交わる角度が０度である。端面２０１は、表面がＱ方向とは反対の方向に向いている。さらに、突出部２００は、面Ｐと外壁Ｓとの間に、端面２０２を有している。端面２０２は、表面がＱ方向に向いている。本実施例では、端面２０１と端面２０２とはいずれも三角形であり、同じ形状を有している。より詳しくは、本実施例では、端面２０１及び端面２０２の形状は二等辺三角形である。そして、突出部２００は、端面２０１と端面２０２との間でリアケース１１からフロントケース１２の方向に突出している。言い換えれば、突出部２００は、Ｑ方向に伸びる山型である。【００２１】
溝部３００は、面ＰとからＱ方向に向かって削られた溝状になっている。溝部３００は、突出部２００のＱ方向に延びる長さと同じ長さだけ延びている。さらに、溝部３００は、突出部２００とリアケース１１の長手方向に隣り合わせて配置されている。そして、本実施例では、溝部３００は、突出部２００と同じ傾斜を有して削られている。すなわち、溝部３００の斜面３０１は、突出部２００の斜面２０３と同じ平面上にある。すなわち、斜面３０１と斜面２０３とは連続しており、且つ、斜面３０１と斜面２０３とが交わる角度が０度である。そして、溝部３００のＱ方向の端部には壁面３０２がある。これは、溝部３００が面Ｐと外壁Ｓとの間で終わっているため、そこにリアケース１１による壁ができるからである。壁面３０２は、表面がＱ方向とは反対の方向に向いている。さらに、溝部３００の断面の溝形状は壁面３０２と同じ三角形となっている。そして、壁面３０２は突出部２００の断面の形状と同じである。溝部部２００は、Ｑ方向に伸びる谷型である。【００２２】
図６−１は、凹凸部のＱ方向からの平面図である。また、図６−２は、凹凸部のＱ方向とは逆の方向からの平面図である。【００２３】
図６−１において、突出部２００は、範囲４０１の一点鎖線４００より上の部分にあたる。そして、図６−１では、一点鎖線４００より上の部分は、端面２０１にあたる。また、図６−１において、溝部３００は、範囲４０２の面Ｐのフロントケース１２側の辺４０３より下に凹んだ部分にあたる。そして、図６−１では、溝部３００の奥に壁面３０２がある。さらに、斜面２０３と斜面３０１とは交わる角度が０度で連続している。【００２４】
また、図６−２では、範囲４０２に溝部３００があるが、外壁Ｓによって溝部３００は見えない。そして、範囲４０１には突出部２００の端面２０２がある。【００２５】
図７は、フロントケースの凹凸部を拡大した斜視図である。図７は、開口部の周縁１１２が含まれる図３に示す点線１２１の部分を拡大したものを表している。フロントケース１２は、図７の点線で示される凹凸部１２３を有している。この凹凸部１２３は、リアケース１１の凹凸部１１３と同様の構造を有しており、凹凸部１１３と凹凸部１２３とは嵌合する。次に、凹凸部１１３と凹凸部１２３との嵌合状態を説明する。【００２６】
図８は、フロントケースの凹凸部とリアケースの凹凸部とが嵌合した状態を模式的に表した透視斜視図である。  図９は、凹凸部が嵌合した部分を拡大した透視斜視図である。図８及び図９は、説明の都合上、凹凸部１１３と凹凸部１２３との距離を少し開けて示しているが、実際に勘合した場合には凹凸部１１３と凹凸部１２３は接触している。図８及び図９に示すように、凹凸部１１３の突出部２００と凹凸部１２３の溝部３００にあたる部分である溝部３１０とがかみ合い、凹凸部１１３の溝部３００と凹凸部１２３の突出部２００にあたる部分である突出部２１０とがかみ合うように嵌合する。このように、リアケース１１とフロントケース１２とが重なり合うと、凹凸部１１３と凹凸部１２３とが嵌合する。【００２７】
さらに、図１０は、凹凸部が嵌合するときの状態を表す側壁の長手方向の断面図である。図１０は、Ｑ方向に向かってみた状態を表している。ここで、側壁の長手方向とは、リアケース１１及びフロントケース１２の側壁の長手方向である。言い換えれば、図１０は、Ｑ方向を法線とする平面で凹凸部１１３と凹凸部１２３とが嵌合している部分を切断した場合の断面図である。【００２８】
図１０に示すように、突出部２００と溝部３１０とが嵌合すると、突出部２００の奥には、フロントケース１２において溝部３１０の奥にある壁面３１２がある。すなわち、リアケース１１の突出部２００の端面２０２とフロントケース１２の壁面３１２とが向かい合っている。また、突出部２１０と溝部３００とが嵌合すると、突出部２１０の奥には、リアケース１２において溝部３００の奥にある壁面３０２がある。すなわち、フロントケース１１の突出部２１０の端面２１２とリアケース１１の壁面３０２とが向かい合っている。【００２９】
したがって、リアケース１１の側壁に対してＱ方向に押圧する力が加わると、リアケース１１の突出部２００の端面２０２とフロントケース１２の壁面３１２とが接触する。これにより、リアケース１１の外壁が外側にずれることが抑制される。また、リアケース１１の側壁に対してＱ方向とは逆方向に押圧する力が加わると、フロントケース１２の突出部２１０の端面２１２とリアケース１１の壁面３０２とが接触する。これにより、リアケース１１の外壁が内側にずれることが抑制される。【００３０】
同様に、フロントケース１２の側壁に対してＱ方向に押圧する力が加わると、フロントケース１２の突出部２１０の端面２１２とリアケース１１の壁面３０２とが接触する。これにより、フロントケース１２の外壁が外側にずれることが抑制される。また、リアケース１１の側壁に対してＱ方向とは逆方向に押圧する力が加わると、リアケース１１の突出部２００の端面２０２とフロントケース１２の壁面３１２とが接触する。これにより、フロントケース１２の外壁が内側にずれることが抑制される。【００３１】
さらに、図１１〜図１４を参照して、リアケース１１又はフロントケース１２に外から負荷が加わった場合の動作について説明する。図１１は、フロントケースに向かう方向と直交する方向からリアケースに力が加わる場合を説明するための図１０のＡ−Ａ’断面の断面図である。図１２は、リアケースに向かう力がフロントケースに加わる場合を説明するための図１０のＡ−Ａ’断面の断面図である。図１３は、リアケースに向かう方向と直交する方向から力がフロントケースに加わる場合を説明するための図１０のＢ−Ｂ’断面の断面図である。図１４は、フロントケースに向かう力がリアケースに加わる場合を説明するための図１０のＢ−Ｂ’断面の断面図である。【００３２】
図１１に示すように、リアケース１１に負荷４０１がかかった場合について説明する。負荷４０１は、リアケース１１からフロントケース１２に向かう方向と直交する方向に向いている。これは、図２におけるＱ方向の逆向きの方向である。この時、リアケース１１は、矢印４０２のような力を受ける。すると、溝部３００及び壁面３０２は、矢印４０２の方向に移動する。この時、フロントケース１２は力を受けていないので、静止している。そのため、突出部２１０も静止している。そこで、リアケース１１の壁面３０２が矢印４０２の方向に移動すると、壁面３０２がフロントケース１２の突出部２１０の端面２１２と接触する。これにより、壁面３０２は、矢印４０２の方向にそれ以上進めなくなる。すなわち、壁面３０２と端面２１２が接触した位置以上には、リアケース１１が矢印４０２の方向にずれないので、きしみ音が抑えられる。【００３３】
次に、図１２に示すように、フロントケース１２に負荷４０３がかかった場合について説明する。負荷４０３は、フロントケース１２からリアケース１１に向かう方向に向いている。この時、フロントケース１２は、押し広げられるので、矢印４０４のような力を受ける。矢印４０４は、図２におけるＱ方向である。すると、突出部２１０及び端面２１２は、矢印４０４の方向に移動する。この時、リアケース１１は力を受けていないので、静止している。そのため、溝部３００の端部にある壁面３０２も静止している。そこで、フロントケース１２の突出部２１０が矢印４０４の方向に移動すると、端面２１２がリアケース１１の壁面３０２と接触する。これにより、突出部２１０は、矢印４０４の方向にそれ以上進めなくなる。すなわち、端面２１２と壁面３０２が接触した位置以上には、フロントケース１２が矢印４０４の方向にずれないので、きしみ音が抑えられる。【００３４】
次に、図１３に示すように、フロントケース１２に負荷４０５がかかった場合について説明する。負荷４０５は、フロントケース１２からリアケース１１に向かう方向と直交する方向に向いている。これは、図２におけるＱ方向の逆向きの方向である。この時、フロントケース１２は、矢印４０６のような力を受ける。すると、溝部３１０及び壁面３１２は、矢印４０６の方向に移動する。この時、リアケース１１は力をうけていないので、静止している。そのため、突出部２００も静止している。そこで、フロントケース１２の壁面３１２が矢印４０６の方向に移動すると、壁面３１２がリアケース１１の突出部２００の端面２０２と接触する。これにより、壁面３１２は、矢印４０６の方向にそれ以上進めなくなる。すなわち、壁面３１２と端面２０２が接触した位置以上には、フロントケース１２が矢印４０６の方向にずれないので、きしみ音が抑えられる。【００３５】
次に、図１４に示すように、リアケース１１に負荷４０７がかかった場合について説明する。負荷４０７は、リアケース１１からフロントケース１２に向かう方向に向いている。この時、リアケース１１は、押し広げられるので矢印４０８のような力を受ける。矢印４０８は、図２におけるＱ方向である。すると、突出部２００及び端面２０２は、矢印４０８の方向に移動する。この時、フロントケース１２は力を受けていないので、静止している。そのため、溝部３１０の端部にある壁面３１２も静止している。そこで、リアケース１１の突出部２００が矢印４０８の方向に移動すると、端面２０２がフロントケース１２の壁面３１２と接触する。これにより、突出部２００は、矢印４０７の方向にそれ以上進めなくなる。すなわち、端面２０２と壁面３１２が接触した位置以上には、リアケース１１が矢印４０７の方向にずれないので、きしみ音が抑えられる。【００３６】
さらに、図４及び図５に示すように、凹凸部１１３は、開口部の内壁Ｐと同じ平面に突出部２００の端面２０１が設けられている。また、凹凸部１１３は、内壁Ｐから外壁Ｓに向かって削ることで溝部３００が形成されている。そのため、リアケース１１の外壁は、凹凸部１１３より内側に厚みを有さない。したがって、リアケース１１が形成する内部のスペースを広く取ることができる。また、フロントケース１２の凹凸部１２３もリアケース１１の凹凸部１１３と同様の構造を有しているため、フロントケース１２の外壁も、凹凸部１２３より内側に厚みを有さない。したがって、フロントケース１２が形成する内部のスペースを広く取ることができる。これにより、リアケース１１とフロントケース１２が重なりあうことにより形成される基盤や液晶パネルを配置するための内部空間を大きく確保することができる。したがって、本実施例に係る携帯電話であれば、多数の部品や大きな部品を搭載することができる。【００３７】
また、本実施例では、リアケース及びフロントケースに設けられた１組の凹凸部について説明したが、この凹凸部はリアケース又はフロントケースのズレが大きく発生する部分に設けることが好ましい。さらに、ズレが大きく発生する部分が複数ある場合には、その部分のそれぞれに凹凸部を設けることが好ましい。例えば、リアケースとフロントケースとを固定するねじとねじとの間の中間地点などに設けることが好ましい。【００３８】
さらに、本実施例では、突出部及び溝部の断面の形状が二等辺三角形の場合で説明したが、この形状は嵌合可能な形状であれば特に制限は無い。【００３９】
例えば、図１５−１のように突出部及び溝部の断面の形状を四角形にしてもよい。また、図１５−２のように突出部及び溝部の断面の形状を半円にしてもよい。図１５−１及び図１５−２は、突出部及び溝部の断面の形状の他の例を説明するための図である。【００４０】
さらには、リアケースの突出部とフロントケースの溝部の形状が一致し、リアケースの溝部とフロントケースの突出部との形状が一致していれば、リアケース及びフロントケースの突出部と溝部の形状が異なっても良い。【００４１】
以上に説明したように、本実施例にかかる携帯電話は、凹凸部によりリアケース又はフロントケースに対して互いにこすれあう方向に力が加わった場合でも、力が加わった側のズレを抑えることができ、きしみ音を軽減することができる。そして、凹凸部は、自己より内部空間側に側壁の厚みを必要としない。このため、リアケースとフロントケースとが形成する筐体内部のスペースを大きく確保することができ、大きなサイズの基板や液晶パネルを内部のスペースに配置でき、また多数の部品を内部のスペースに配置することができる。
【符号の説明】
【００４２】
１  固定側筐体
２  可動側筐体
１１  リアケース
１２  フロントケース
１１３  凹凸部
１２３  凹凸部
２００  突出部
２０１  端面
２０２  端面
２１０  突出部
２１２  端面
３００  溝部
３０２  壁面
３１０  溝部
３１２  壁面
【図１】
2012127584.tif 000003
【図２】
2012127584.tif 000004
【図３】
2012127584.tif 000005
【図４】
2012127584.tif 000006
【図５】
2012127584.tif 000007
【図６−１】
2012127584.tif 000008
【図６−２】
2012127584.tif 000009
【図７】
2012127584.tif 000010
【図８】
2012127584.tif 000011
【図９】
2012127584.tif 000012
【図１０】
2012127584.tif 000013
【図１１】
2012127584.tif 000014
【図１２】
2012127584.tif 000015
【図１３】
2012127584.tif 000016
【図１４】
2012127584.tif 000017
【図１５−１】
2012127584.tif 000018
【図１５−２】
2012127584.tif 000019
【図１６】
2012127584.tif 000020
【図１７】
2012127584.tif 000021
【国際調査報告】
2012127584.tif 000022
2012127584.tif 000023
2012127584.tif 000024
2012127584.tif 000025